(57)【要約】【課題】  ブラシの先端に毛染め剤を十分に保持できるようにした毛染め用具を創出することを課題とする。【解決手段】  把持部（５）先端の一方の側部（２Ａ）にブラシ部本体（３）を備える毛染め用具であって、ブラシ部本体（３）は、複数の刷毛（３０）及びこの複数の刷毛（３０）が植設された基盤（３３）を有すると共に、基盤（３３）が一方の側部（２Ａ）に反転可能に固定される構成とする。【選択図】  図３
2019176962.tif 000002
【特許請求の範囲】
【請求項１】
把持部（５）先端の一方の側部（２Ａ）にブラシ部本体（３）を備える毛染め用具であって、
前記ブラシ部本体（３）は、複数の刷毛（３０）及び前記複数の刷毛（３０）が植設された基盤（３３）を有すると共に、前記基盤（３３）が前記一方の側部（２Ａ）に反転可能に固定されていることを特徴とする毛染め用具。
【請求項２】
基盤（３３）は、断面凸状に反転することで刷毛（３０）の先端部が集まる収束状態に設定され、断面凹状に反転することにより刷毛（３０）の先端部が広がる展開状態に設定される請求項１記載の毛染め用具。
【請求項３】
基盤（３３）が弾性変形可能な軟質材で形成されている請求項１又は２記載の毛染め用具。
【請求項４】
基盤（３３）の左右両側の位置に第１刷毛（３１）が植設され、基盤（３３）の中央の位置に第２刷毛（３２）が植設されていると共に、前記第２刷毛（３２）が前記第１刷毛（３１）よりも短い長さ寸法で形成されている請求項１乃至３のいずれか一項に記載の毛染め用具。
【請求項５】
中央の第２刷毛（３２）が、左右両側の第１刷毛（３１）よりも太い径寸法で形成されている請求項４記載の毛染め用具。
【請求項６】
把持部（５）先端の他方の側部（２Ｂ）に複数の櫛歯部（４）が植設されている請求項１乃至５のいずれか一項に記載の毛染め用具。
【発明の詳細な説明】
【技術分野】
【０００１】
本発明は、毛染め用具に関する。
【背景技術】
【０００２】
毛染め剤を含ませたブラシ部を髪の根元から毛先までゆっくり滑るように移動させることで毛染めを行う毛染め用具は、例えば以下の特許文献１に記載されているように周知である。
特許文献１に記載された毛染め用具は、柄部４の先端に設けられたブラシ台部１の一方の側部に、数本のブラシ毛を密集状態で植設してなる毛束部２１を所定間隔で列設した毛染め剤塗布用のブラシ部２０を備えるというものである。
【先行技術文献】
【特許文献】
【０００３】
【特許文献１】特開２００１−１２０３３８号公報
【発明の概要】
【発明が解決しようとする課題】
【０００４】
しかし、特許文献１に記載の毛染め用具は、ブラシ部の先端に毛染め剤を含ませるというものであるところ、毛先が逆Ｖ字状にカットされており、ブラシ部２０内に保持可能な容量も少ないため、多くの毛染め剤を保持するにはまだまだ不十分であるという問題がある。
本発明は、上記した従来技術における問題点を解消すべく、ブラシの先端に毛染め剤を十分に保持できるようにした毛染め用具を創出することを課題とする。
【課題を解決するための手段】
【０００５】
上記課題を解決するための手段のうち、本発明の主たる手段は、
把持部先端の一方の側部にブラシ部本体を備える毛染め用具であって、
ブラシ部本体は、複数の刷毛及び複数の刷毛が植設された基盤を有すると共に、基盤が一方の側部に反転可能に固定されていることを特徴とする、と云うものである。
本発明の主たる手段では、ブラシ部本体が反転変形可能な構成であることから、反転前の展開状態と反転後の収束状態とでは刷毛の形態を異ならせることができ、目的に応じた使い分けが可能となる。
ここで、本明細書における「植設」は、基盤と刷毛とを別々に形成した後に刷毛を基盤に植え付け等の手段により固定することの意味以外に、基盤と刷毛とが同材質または異材質とされた状態で、射出成形やインサート成形等により一体に成形されている意味をも含むものである。
【０００６】
また本発明の他の手段は、上記主たる手段に、基盤は、断面凸状に反転することで刷毛の先端部が集まる収束状態に設定され、断面凹状に反転することにより刷毛の先端部が広がる展開状態に設定される、との手段を加えたものである。
上記手段では、基盤が収束状態に設定されることで多くの毛染め剤を保持することができる。
【０００７】
また本発明の他の手段は、上記いずれかの手段に、基盤が弾性変形可能な軟質材で形成されている、との手段を加えたものである。
上記手段では、基盤のスムーズな反転変形を達成し得る。
【０００８】
また本発明の他の手段は、上記いずれかの手段に、基盤の左右両側の位置に第１刷毛が植設され、基盤の中央の位置に第２刷毛が植設されていると共に、第２刷毛が第１刷毛よりも短い長さ寸法で形成されている、との手段を加えたものである。
上記手段では、左右両側に植設された第１刷毛と中央に植設された第２刷毛との長さ寸法に寸法差を設けることにより、反転させた収束状態としたときに第１刷毛の先端部と第２刷毛の先端部との間に毛染め剤の保持を可能とする保持空間の確保を達成し得る。
【０００９】
また本発明の他の手段は、上記手段に、中央の第２刷毛が、左右両側の第１刷毛よりも太い径寸法で形成されている、との手段を加えたものである。
上記手段では、毛染め剤の保持を可能とする保持空間をより確実に確保することができると共に、第２刷毛により確実に髪を梳くことができ、保持空間の毛染め剤を均等に塗布することができる。
【００１０】
また本発明の他の手段は、上記いずれかの手段に、把持部先端の他方の側部に複数の櫛歯部が植設されている、との手段を加えたものである。
上記手段では、例えば生え際や部分染め等、ブラシ部本体の展開状態や収束状態とは更に異なった形態での使用が可能となる。
【発明の効果】
【００１１】
本発明は、上記した構成を有することにより、刷毛の先端部においてより多くの毛染め剤を保持することが可能となるため、毛染め剤の不足による染め残しを防止し、毛染め用具としての機能を向上させることができる。
【図面の簡単な説明】
【００１２】
【図１】本発明の実施例を示す毛染め用具の正面図である。
【図２】櫛歯部側から示す毛染め用具の左側面図である。
【図３】非反転状態（展開状態）における毛染め用具の部分拡大図であり、Ａはブラシ部本体の正面図、ＢはＡのＩＩＩｂ矢視方向から見たブラシ部本体の側面図、ＣはＢのＩＩＩｃ−ＩＩＩｃ線における断面図である。
【図４】反転状態（収束状態）における毛染め用具の部分拡大図であり、Ａはブラシ部本体の正面図、ＢはＡのＩＶｂ矢視方向から見たブラシ部本体の側面図、ＣはＢのＩＶｃ−ＩＶｃ線における断面図である。
【発明を実施するための形態】
【００１３】
以下、本発明の実施の形態について図面を参照しつつ説明する。
図１は本発明の実施例を示す毛染め用具の正面図、図２は櫛歯部側から示す毛染め用具の左側面図、図３は非反転状態（展開状態）における毛染め用具の部分拡大図であり、Ａはブラシ部本体の正面図、ＢはＡのＩＩＩｂ矢視方向から見たブラシ部本体の側面図、ＣはＢのＩＩＩｃ−ＩＩＩｃ線における断面図、図４は反転状態（収束状態）における毛染め用具の部分拡大図であり、Ａはブラシ部本体の正面図、ＢはＡのＩＶｂ矢視方向から見たブラシ部本体の側面図、ＣはＢのＩＶｃ−ＩＶｃ線における断面図である。
【００１４】
先ず、毛染め用具１の構成について説明する。
図１又は図２に示すように、本実施例に示す毛染め用具１は、棒状に延びる把持部５の先端に幅広に形成されたブラシ台２が設けられている。ブラシ台２の一方（図１では右側）の側部２Ａにはブラシ部本体３が設けられ、他方（図１では左側）の側部２Ｂには櫛歯部４が設けられている。
ブラシ部本体３は、基盤３３と、この基盤３３に植設された刷毛３０を有して構成されている。図３及び図４に示すように、基盤３３は例えばシリコンゴムや天然ゴムなど弾性変形可能な軟質材を用いて断面円弧状に形成されている。また基盤３３は平面視略長方形状に形成されており、その外縁には一方の側部２Ａよりも外側に大きくはみ出す変形部３３Ａが延設されている。本実施例では基盤３３の表面側に一本のピンからなる複数の刷毛３０が植設され、裏面側には嵌合凹部３４が形成されている。そして、ブラシ部本体３は嵌合凹部３４を把持部５の先端の一方の側部２Ａに形成されている嵌合凸部２ａに嵌合させることにより固定されている。ブラシ部本体３は、一方の側部２Ａにおいて基盤３３の変形部３３Ａを手動操作により反転変形させることにより、すなわちブラシ台２の一方の側部２Ａの先端部（嵌合凹部３４と嵌合凸部２ａとが嵌合している部分）を起点として外側にはみ出した変形部３３Ａを反転変形させることにより、図３に示す非反転状態（展開状態）と、図４に示す反転状態（収束状態）のいずれかに設定することが可能となっている。
【００１５】
図３及び図４に示すように、刷毛３０のうち、平面視略長方形状に形成された基盤３３の左右両側の位置に、基盤３３の長手方向に沿うように所定の間隔を有して植設されているのが第１刷毛３１である。前記第１刷毛３１は、髪に押し付けた際に変形される剛性とすることが好ましいが、変形しなくともよい。また左右両側の第１刷毛３１の間である基盤３３の中央の位置に、第１刷毛３１よりも若干太い径寸法を有して長手方向に沿って所定の間隔を有して植設されているのが第２刷毛３２である。
中央の第２刷毛３２は、左右両側の第１刷毛３１よりも短い長さ寸法を有して形成されている。このため、図３Ｃの破線又は図４Ｃに示すように、反転させた収束状態においては、中央の第２刷毛３２の先端部は左右両側の第１刷毛３１の先端部よりも下方に位置することになり、中央の太い径からなる第２刷毛３２の先端部と左右両側の細い径からなる第１刷毛３１の先端部とで囲まれた部分に保持空間Ｓが形成される。本実施形態の第２刷毛３２は、第１刷毛３１よりも太い径とすることで、当該第１刷毛３１よりも剛性が高くなるように構成されており、髪を確実に梳くことができる。なお、第２刷毛３２と第１刷毛３１の材料を異ならせる等により必要な剛性を確保してもよい。なお、第２刷毛３２の太さや剛性を第１刷毛３１と同じ若しくは低くしてもよく、第２刷毛３２の長さを第１刷毛３１以上としてもよい。
【００１６】
刷毛３０を構成する第１刷毛３１及び第２刷毛３２の素材は合成樹脂であっても良いし、動物の毛（獣毛）等であっても良く、特に限定されるものではない。また、第１刷毛３１及び第２刷毛３２の長手方向における配列数やその間隔、及びこれと直交する幅方向（短手方向）における配列数やその間隔も本実施例に限定されるものではなく、様々な態様とすることが可能である。
【００１７】
把持部５の素材についても特に限定されるものではないが、例えば把持部５を合成樹脂製とする場合には、基盤３３に複数の刷毛３０（第１刷毛３１、第２刷毛３２）が植設されたブラシ部本体３を把持部５の一方の側部２Ａにインサート成形することによって固定しても良いし、把持部５とブラシ部本体３とを別々に形成した後に上述のように両者を取り付けて固定する構成であっても良い。
【００１８】
次に、上記構成から成る毛染め用具１の動作について説明する。
毛染めを行う場合には、ブラシ部本体３を図４Ａ−Ｃに示す反転状態（収束状態）、即ち断面凸状（図３Ｃの実線参照）にある基盤３３の変形部３３Ａを反転させて断面凹状（図３Ｃの破線又は図４Ｃ参照）に変形させ、左右両端の第１刷毛３１の先端部のみを中央寄りに集めた収束状態にして行うと良い。
この反転状態（収束状態）においては、中央の第２刷毛３２の先端部と左右両側の第１刷毛３１の先端部との間に保持空間Ｓを形成することができる。よって、ブラシ部本体３の刷毛３０（第１刷毛３１、第２刷毛３２）の先端に設けられた保持空間Ｓを毛染め剤内に含浸させると、多くの容量の毛染め剤を狭い範囲（保持空間Ｓ内）に保持することができる。そして、多量の毛染め剤を保持した状態の刷毛３０（第１刷毛３１、第２刷毛３２）の先端部を髪に当てながらゆっくり滑らせると、これまで以上の広範囲に亘って毛染め剤を塗布することが可能となる。また、刷毛３０の先端が収束しているため、広い範囲だけでなく、狭い範囲や細部への塗布も容易となる。
【００１９】
また、毛染め剤を髪に塗布した後に、例えばブラシ部本体３の変形部３３Ａを、図４の反転状態から図３の非反転状態に戻し、左右両端の第１刷毛３１の先端部が広がる展開状態に設定した状態で使用することにより、毛染め剤を髪全体に馴染ませることが可能となる。
よって、毛染め作業を髪全体に対してこれまで以上に効率良く行うことができる共に毛染め剤の不足による染め残しを防止することができる。
また使用時に第１剤と第２剤を混合させて毛染めを行うタイプの毛染め剤の場合には、上記展開状態において、例えばブラシ部本体３の、右側の第１刷毛３１と中央の第２刷毛３２との間に第１剤を抽出し且つ左側の第１刷毛３１と中央の第２刷毛３２との間に第２剤を注出し、２剤を平行に並べた状態のブラシ部本体３０で髪を梳かしながら混合・塗布するという使用が可能である。
【００２０】
また本実施例の毛染め用具１では、他方（図１では左側）の側部２Ｂに櫛歯部４が設けられており、この櫛歯部４を用いることにより、生え際などの細かい部分や部分染めを行うことができる。さらに、髪を綺麗に整えること、例えば七三分けなど髪をきちんと分けることが可能となる。尚、この櫛歯部４もブラシ台２と共に一体成形される構成でも良いし、ブラシ台２と櫛歯部４とを別々に形成し、その後に他方の側部２Ｂに櫛歯部４が植設される構成であっても良い。
【００２１】
このように本発明の毛染め用具１は、毛染め剤を髪全体に広める毛染め作業を行えるだけでなく、通常の髪を整えるための櫛としても使用が可能である。
【００２２】
以上、実施例に沿って本発明の構成とその作用効果について説明したが、本発明の実施の形態は上記実施例に限定されるものではない。
上記実施例では、ブラシ台２の一方の側部２Ａにブラシ部本体３を設け、他方の側部２Ｂに櫛歯部４を設けた構成を示して説明したが、本発明はこれに限られるものではなく、ブラシ台２の一方の側部２Ａにブラシ部本体３のみを有する構成とすることもできる。
【００２３】
また上記実施例では、刷毛３０を構成する第１刷毛３１及び第２刷毛３２が一本のピンから構成される場合を示して説明したが、本発明はこれに限られるものではなく、数本の毛束が密集する状態で植設される構成であっても良い。
【００２４】
また上記実施例では、基盤３３の表面において第１刷毛３１と第２刷毛３２とを幅方向（短手方向）に直線状に並べた場合を示して説明したが、本発明はこれに限られるものではなく、左右両端に配置される第１刷毛３１と中央に配置される第２刷毛３２とが長手方向に沿って交互に配置されることにより、幅方向（短手方向）において直線状に並ばない構成としても良い。
【００２５】
また上記実施例では、基盤３３の長手方向と幅方向（短手方向）の両方においてブラシ台２の一方の側部２Ａの先端部から外側に向かってはみ出した変形部３３Ａが、長手方向と短手方向の双方において一緒に反転変形する場合を示して説明したが、本発明はこれに限られるものではなく、長手方向と幅方向（短手方向）のうち少なくとも一方において反転変形する構成であっても良い。さらには反転変形可能な変形部３３Ａが、基盤３３の長手方向と幅方向（短手方向）のうち少なくとも一方にのみ設けられる構成としてもよい。
【産業上の利用可能性】
【００２６】
本発明は、毛染め用具の分野における用途展開をさらに広い領域で図ることができる。
【符号の説明】
【００２７】
１    ：  毛染め用具
２    ：  ブラシ台
２Ａ  ：  一方の側部
２Ｂ  ：  他方の側部
２ａ  ：  嵌合凸部
３    ：  ブラシ本体部
４    ：  櫛歯部
５    ：  把持部
３０  ：  刷毛
３１  ：  第１刷毛
３２  ：  第２刷毛
３３  ：  基盤
３３Ａ：  変形部
３４  ：  嵌合凹部
Ｓ    ：  保持空間
【図１】
2019176962.tif 000003
【図２】
2019176962.tif 000004
【図３】
2019176962.tif 000005
【図４】
2019176962.tif 000006